(57)【要約】【課題】大型の攪拌乾燥機であっても、ケーシング内のローターの従動軸部を軸受部に容易に挿入でき、ケーシング内の清掃やメンテナンス、及び軸受部の交換作業に要する労力と時間とを大幅に削減できる攪拌乾燥機を提供する。【解決手段】筒体をなすケーシングの内部に、軸線Ｏ回りに回転されるローター３１が配置され、ローター３１の一端が支持軸部とされ、他端が従動軸部３４とされ、前記ケーシングの一方の端部側には、ローター３１の支持軸部を回転自在に支持する支持部とローター３１を軸線Ｏ回りに回転させる駆動部とが備えられ、前記ケーシングの他方の端部側の壁面は開閉可能な蓋部５１とされており、蓋部５１には貫通孔５２が形成され、貫通孔５２には、軸受部６１が前記ケーシングの外部から嵌挿され、ローター３１の従動軸部３４が貫通孔５２に嵌挿された軸受部６１によって回転自在に支持されていることを特徴とする。【選択図】図１
2007178044.tif 000002
【特許請求の範囲】
【請求項１】
筒体をなすケーシングの内部に、前記筒体の軸方向に沿うように、軸線回りに回転されるローターが配置され、前記ローターの一端が支持軸部とされ、前記ローターの他端が従動軸部とされており、
前記ケーシングの一方の端部側には、前記ローターの前記支持軸部を回転自在に支持する支持部と前記ローターを前記軸線回りに回転させる駆動部とが備えられ、
前記ケーシングの他方の端部側の壁面は開閉可能な蓋部とされており、該蓋部には該蓋部の厚さ方向に貫通する貫通孔が形成され、該貫通孔には、軸受部が前記ケーシングの外部から嵌挿され、
前記ローターの前記従動軸部が前記貫通孔に嵌挿された前記軸受部によって回転自在に支持されていることを特徴とする攪拌乾燥機。
【請求項２】
前記軸受部の内周面に、ブッシュが備えられていることを特徴とする請求項１に記載の攪拌乾燥機。
【請求項３】
前記蓋部と前記軸受部との間に、シール材が配置されていることを特徴とする請求項１または請求項２に記載の攪拌乾燥機。
【発明の詳細な説明】
【技術分野】
【０００１】
本発明は、水分を多く含有した食品や薬品、産業廃棄物等を攪拌しながら乾燥させる攪拌乾燥機に関するものである。
【背景技術】
【０００２】
従来、水分を多く含有した材料を乾燥させる装置として、特許文献１、２に示されるような横型の攪拌乾燥機が提供されている。従来の攪拌乾燥機の一例を図４、図５に示す。攪拌乾燥機１は、円筒状のケーシング２を有し、このケーシング２は、ケーシング２がなす円筒の軸方向が水平方向と平行になるように配置されている。ケーシング２の内部には、ケーシング２の円筒の軸を同じく軸線Ｏとするように水平に配置されたローター３が備えられている。
【０００３】
ローター３は、ケーシング２内に配置される胴部４と、胴部４の一端側に設けられた支持軸部５と、他端側に設けられた従動軸部６とを有し、胴部４には、軸線Ｏに垂直な方向にケーシング２の内壁面近傍まで延びる羽根部７が備えられている。
ケーシング２の一方の端部側には、ローター３の支持軸部５を回転自在に支持する支持部８と、ローター３を軸線Ｏ回りに回転させる駆動部９とが備えられている。
【０００４】
ケーシング２の他方の端部側の壁面は、開閉可能な蓋部１１とされ、この蓋部１１のケーシング２内面には、ボス孔１２が形成され、このボス孔１２には、樹脂製のブッシュ１３が嵌め込まれており、ボス孔１２とブッシュ１３とが軸受部１４を構成している。なお、ブッシュ１３は、真鍮や鋳鉄などの金属で構成されていてもよい。この軸受部１４にローター３の従動軸部６が挿入され回転自在に支持されている。
また、ケーシング２には、投入口１５と取出口１６とが形成されている。
【０００５】
上記構成の攪拌乾燥機１は、投入口１５から水分を多く含む材料が投入され、ケーシング２内で回転する羽根部７によって前記材料が攪拌されることにより攪拌乾燥が行われ、取出口１６より乾燥された材料を得ることができるものである。また、ケーシング２の他方の端部側の壁面が開閉可能とされているので、乾燥処理後のケーシング２内の清掃やメンテナンスを行うことができるものである。
【特許文献１】特開２００３−２７９２５０号公報
【特許文献２】特開２００３−１７２５８０号公報
【発明の開示】
【発明が解決しようとする課題】
【０００６】
ところで、上記の構成の攪拌乾燥機１では、ケーシング２の内部の清掃やメンテナンスを行う場合には蓋部１１を開閉する必要があるが、蓋部を閉める際にローター３の従動軸部６を軸受部１４に挿入しなければならない。
軸受部１４は蓋部１１のケーシング２内面側に設けられており、この軸受部１４にローター３の従動軸部６を挿入する際には、蓋部１１とケーシング２との間の隙間からケーシング２内を覗き込みながら蓋部１１の位置を調整して行うこととなり、多くの労力と時間とを要していた。また、従動軸部６から離れた位置からケーシング２内を覗き込んでいるので、ローター３の従動軸部６の位置が確認しにくく、従動軸部６と軸受部１４が衝突して従動軸部６が傷つくおそれがあった。
【０００７】
特に、最近では攪拌乾燥機１が大型化しており、この大型化に伴って蓋部１１のサイズも大きくなるので、ケーシング２内のローター３の位置を一層確認しにくくなり、蓋部１１の開閉作業にさらに多くの労力と時間を要するといった問題があった。また、蓋部１１自体の重量も大きくなり、人力による蓋部１１の開閉作業が困難になるといった問題があった。
また、軸受部１４が蓋部１１のケーシング２内面側に設けられているので、軸受部１４を交換する際には、蓋部１１を開けて行う必要があり、軸受部１４の交換作業に多くの時間と労力を要するといった問題があった。
【０００８】
本発明は、上記の事情に鑑みてなされたものであって、大型の攪拌乾燥機であっても、ケーシング内のローターの従動軸部を軸受部に容易に挿入でき、ケーシング内の清掃やメンテナンス、及び軸受部の交換作業に要する労力と時間とを大幅に削減できる攪拌乾燥機を提供することを目的とする。
【課題を解決するための手段】
【０００９】
上記目的を達成するために、この発明は以下の手段を提案している。
請求項１に記載の攪拌乾燥機は、筒体をなすケーシングの内部に、前記筒体の軸方向に沿うように、軸線回りに回転されるローターが配置され、前記ローターの一端が支持軸部とされ、前記ローターの他端が従動軸部とされており、前記ケーシングの一方の端部側には、前記ローターの前記支持軸部を回転自在に支持する支持部と前記ローターを前記軸線回りに回転させる駆動部とが備えられ、前記ケーシングの他方の端部側の壁面は開閉可能な蓋部とされており、該蓋部には該蓋部の厚さ方向に貫通する貫通孔が形成され、該貫通孔には、軸受部が前記ケーシングの外部から嵌挿され、前記ローターの前記従動軸部が前記貫通孔に嵌挿された前記軸受部によって回転自在に支持されていることを特徴としている。
【００１０】
上記の構成の攪拌乾燥機では、蓋部に貫通孔が形成されているので、蓋部を閉めた際に、この貫通孔部分にローターの従動軸部を配置することができる。そして、軸受部がケーシング外部から嵌挿されているので、蓋部を閉めた後にローターの従動軸部を軸受部に挿入することができる。
【００１１】
請求項２記載の攪拌乾燥機は、前記軸受部の内周面に、ブッシュが備えられていることを特徴としている。この構成の攪拌乾燥機では、軸受部の内周面に備えられたブッシュと従動軸部とが摺動される。
【００１２】
請求項３記載の攪拌乾燥機は、前記蓋部と前記軸受部との間に、シール材が配置されていることを特徴としている。この構成の攪拌乾燥機では、蓋部と軸受部との間がシール材によって封止されているので、ケーシングの内部を密封構造とすることができる。
【発明の効果】
【００１３】
請求項１に係る発明によれば、蓋部を閉めた後にローターの従動軸部を軸受部に挿入することができるので、大型の攪拌乾燥機であっても、比較的小さな軸受部のみの位置調整で従動軸部を軸受部に挿入でき、軸受部にローターの従動軸部を挿入する作業に要する労力と時間を大幅に削減することができる。したがって、蓋部の開閉作業を容易に行うことができ、ケーシング内の清掃やメンテナンスを容易に行うことができる。
【００１４】
また、蓋部に貫通孔が形成されているので、この貫通孔からケーシング内を覗き込んで従動軸部の位置を確認しながら軸受部を貫通孔に嵌挿でき、従動軸部に近い位置で軸受部の位置調整を行い、従動軸部と軸受部が衝突することを防止できる。
また、軸受部を交換する際には、ケーシング外部より軸受部を取り外すことができ、蓋部を開ける必要がないので、軸受部を交換する作業に要する時間と労力とを大幅に削減することができる。また、軸受部が蓋部に比べて小さく軽量であるので、大型の攪拌乾燥機であっても、人力による交換が可能となる。
【００１５】
請求項２に係る発明によれば、軸受部の内周面に備えられたブッシュと従動軸部とが摺動されるため、摺動によって摩耗等した場合にブッシュのみを交換すればよく、軸受部の寿命を向上させることができる。
【００１６】
請求項３に係る発明によれば、ケーシングの内部が密封構造とされているので、ケーシング内を減圧して乾燥効率を向上させる、いわゆる真空攪拌乾燥を行う場合でも、ケーシング外部からケーシング内に大気が混入することが防止でき、乾燥を効率的にかつ確実に行うことができる。
【００１７】
このように、本発明によれば、大型の攪拌乾燥機であっても、ケーシング内のローターの従動軸部を軸受部に容易に挿入でき、ケーシング内の清掃やメンテナンス、及び軸受部の交換作業に要する労力と時間とを大幅に削減できる攪拌乾燥機を提供することができる。
【発明を実施するための最良の形態】
【００１８】
本発明の実施形態について添付した図面を参照して説明する。図１から図３に本発明の実施形態である攪拌乾燥機を示す。
攪拌乾燥機２１は、円筒状をなすケーシング２２を有し、ケーシング２２がなす円筒の軸方向が略水平方向と平行となるように配置されており、ケーシング２２の上部には投入口２３が形成され、ケーシング２２の下部に取出口２４が形成されている。このケーシング２２内には、軸線Ｏ方向に延びるローター３１が、軸線Ｏとケーシング２２の円筒の軸方向とが一致するように略水平に配置されている。
【００１９】
ローター３１は、ケーシング２２内に配置される胴部３２を有し、胴部３２の一方の端部側（図２において左側）には、胴部３２よりも一段小径とされた支持軸部３３が設けられており、支持軸部３３の長さは胴部３２の長さと略同じとされている。また、胴部３２の他方の端部側には、やはり胴部３２よりも一段小径とされた従動軸部３４が設けられている。
胴部３２には、ローター３１の軸線Ｏに垂直な方向に延びる支柱部３５が軸線Ｏ方向に千鳥配置で複数設けられており、これらの支柱部３５の先端部分に支持された螺旋状の羽根部３６が２つ形成されており、ケーシング２２内に配置されている。
【００２０】
ケーシング２２の一方の端部側（図２において左側）には、ケーシング２２から突出された支持軸部３３を回転自在に支持する支持部４１が設けられている。ケーシング２２から突出された支持軸部３３とケーシング２２の一方の端部側の壁面との間には、軸封止部４２が設けられ、ローター３１の支持軸部３３とケーシング２２の一方の端部側の壁面との間が密封されるとともに、支持軸部３３が回転自在に支持されている。
【００２１】
ローター３１の支持軸部３３の端部には、大径プーリー４３が備えられており、駆動モーター４４に設けられた小径プーリー４５とこの大径プーリー４３とがベルト４６にて接続され、駆動モーター４４によってローター３１が回転される構造とされている。これら駆動モーター４４と大径プーリー４３と小径プーリー４５とベルト４６とが、ローター３１を回転させる駆動部４７を構成している。
【００２２】
ケーシング２２の他方の端部側（図２において右側）の壁面は、開閉可能な蓋部５１とされており、図１に示すように、円板状をなす蓋部５１の中心には、蓋部５１の厚さ方向に貫通された貫通孔５２が形成されており、この貫通孔５２の内周面は蓋部５１と一体とされたボス部５３で補強されている。
また、図３に示すように、円板状をなす蓋部５１の上部に蓋部５１を吊るための金具５４が備えられており、ケーシング２２の側面には、回転自在に支持されたアーム部５５が設けられ、このアーム部５５の先端部に、上記金具５４に係合させて蓋部５１を吊り上げるフック５６が備えられている。
【００２３】
上記貫通孔５２に嵌挿される軸受部６１は、円板状の底板部６２と該底板部６２から垂直に延びる円筒状の嵌合部６３とを有し、図１に示すように、嵌合部６３の内周面には、例えばフッ素樹脂等の樹脂で構成された円筒状のブッシュ６４が備えられており、嵌合部６３の先端面（図１において右側）には、ブッシュ６４を支持する押さえ部材がネジによって固定されている。また、底板部６２の嵌合部６３外周面の外側部分には、シール材６５が備えられている。
【００２４】
ケーシング２２やローター３１や蓋部５１等が次のように配置され、攪拌乾燥機２１が構成される。ケーシング２２内にローター３１の胴部３２が配置され、ケーシング２２の一方の端部側の壁面から突出された支持軸部３３が支持部４１にて支持される。ここで、支持軸部３３は胴部３２と略同じ長さを有しており、ローター３１の長さの約１／２の部分が支持部４１によって支持されているので、ローター３１は支持部４１によって主に支持され、ローター３１の自重によって支持軸部３３と反対側の従動軸部３４が下方に撓む量は僅かである。
【００２５】
ローター３１が配置されたケーシング２２の他方の側部側に円板状の蓋部５１を取り付けると、ローター３１の従動軸部３４が、蓋部５１に設けられた貫通孔５２の内部に配置されることになる。そして、この蓋部５１の貫通孔５２には、軸受部６１がケーシング２２の外部から嵌挿される。ここで、軸受部６１の嵌合部６３の内周面に従動軸部３４が挿入され、従動軸部３４の外周面と樹脂製のブッシュ６４とが当接される。この状態で軸受部６１が蓋部５１にボルトにて支持され、軸受部６１の底板部６２に配されたシール材６５によって、軸受部６１と蓋部５１との間が密封される。これにより、ローター３１の両端部（従動軸部３４及び支持軸部３３）が回転自在に支持されることになる。
【００２６】
このように構成された攪拌乾燥機２１は、投入口２３から水分を多く含む材料が投入され、ケーシング２２内で回転するローター３１の羽根部３６によって前記材料が攪拌されることにより攪拌乾燥が行われ、取出口２４より乾燥された材料が得ることができるものである。
また、ケーシング２２の他方の端部側の壁面が開閉可能な蓋部５１とされているので、乾燥処理後のケーシング２２内の清掃やメンテナンスを行うことができるものである。
【００２７】
この攪拌乾燥機２１の蓋部５１を開く場合には、まず、軸受部６１を貫通孔５２から取り外すと、蓋部５１の貫通孔５２部分にローター３１の従動軸部３４が配置される。蓋部５１の上部に設けられた金具５４にフック５６が掛けられた後に、蓋部５１をケーシング２２から取り外すと、蓋部５１はフック５６によって吊り下げられた状態となり、フック５６が設けられたアーム部５５を回転させることで、蓋部５１をケーシング２２から離間させることができる。一方、蓋部５１を閉める場合には、蓋部５１を閉めた後に軸受部６１をケーシング２２の外部から嵌挿することとなる。
したがって、蓋部５１の開閉作業を容易に行うことができ、ケーシング２２内の清掃やメンテナンスを容易に行うことができる。
【００２８】
上記の構成の攪拌乾燥機２１では、蓋部５１に貫通孔５２が形成されており、この貫通孔５２部分にローター３１の従動軸部３４が配置されるとともに、貫通孔５２には、軸受部６１がケーシング２２の外部から嵌挿されるので、蓋部５１を閉めた後に、軸受部６１の内周面に従動軸部３４を挿入することができる。したがって、攪拌乾燥機２１が大型化した場合であっても、比較的小さな部材である軸受部６１を調整することで従動軸部３４を軸受部６１で支持することができ、軸受部６１に従動軸部３４を挿入する作業に要する労力と時間を大幅に削減できる。
【００２９】
また、蓋部５１に貫通孔５２が形成されているので、従動軸部３４に近い位置からケーシング２２内を覗き込んで従動軸部３４の位置を確認して軸受部６１を嵌挿でき、軸受部６１と従動軸部３４との相対位置を合わせることが容易となり、従動軸部３４と軸受部６１との衝突を防止できる。
また、軸受部６１を交換する際には、軸受部６１のみを取り外すこととなるが、この軸受部６１の大きさが小さく軽量なため、人力によって交換作業を行うことができる。
【００３０】
また、軸受部６１の底板部６２にシール材６５が備えられ、このシール材６５によって、軸受部６１と蓋部５１との隙間が密封されているので、ケーシング２２内を減圧して乾燥効率を向上させる、いわゆる真空攪拌乾燥を行う場合であっても、ケーシング２２の外部からケーシング２２内に大気が混入することを防止でき、乾燥を効率的にかつ確実に行うことができる。
また、従動軸部３４と摺動する部分には樹脂製のブッシュ６４が配置されているので、ローター３１の回転による摩擦によって軸受部６１が摩耗した場合には、このブッシュ６４のみを交換すればよく、軸受部６１の寿命を向上することができる。
【００３１】
なお、本実施形態においては、攪拌機能を有する攪拌乾燥機２１として説明したが、この攪拌乾燥機２１にケーシング２２の加熱手段を設けた攪拌乾燥機２１や上述した減圧手段を有する真空攪拌乾燥機２１であってもよく、攪拌機能を有する乾燥機であればよい。
また、ローター３１を螺旋状の羽根部３６を有するもので説明したが、これに限定されることはなく、ローター３１の羽根部３６は任意の形状でよく、乾燥される材料やケーシング２２のサイズなどを考慮して適宜決定するのが好ましい。
また、従動軸部３４と摺動する部分にフッ素樹脂等の樹脂製のブッシュ６４を備えた軸受部６１で説明したが、ブッシュ６４の材質は樹脂に限定されることはなく、例えば真鍮や鋳鉄等の金属材料で構成されたものであってもよい。
【図面の簡単な説明】
【００３２】
【図１】本発明の実施形態である攪拌乾燥機の軸受部拡大図である。
【図２】本発明の実施形態である攪拌乾燥機の側面部分断面図である。
【図３】本発明の実施形態である攪拌乾燥機の正面図である。
【図４】従来の攪拌乾燥機の側面部分断面図である。
【図５】図４の攪拌乾燥機の軸受部拡大図である。
【符号の説明】
【００３３】
２１  攪拌乾燥機
２２  ケーシング
３１  ローター
３３  支持軸部
３４  従動軸部
４１  支持部
４７  駆動部
５１  蓋部
５２  貫通孔
６１  軸受部
６４  ブッシュ
６５  シール材
【図１】
2007178044.tif 000003
【図２】
2007178044.tif 000004
【図３】
2007178044.tif 000005
【図４】
2007178044.tif 000006
【図５】
2007178044.tif 000007